(57)【特許請求の範囲】
【請求項１】
第１の偏光手段を介して右眼用映像を出力する第１の映像出力手段と、前記第１の偏光手段とは異なる偏光方向からなる第２の偏光手段を介して左眼用映像を出力する第２の映像出力手段と、前記第１の偏光手段と同一の偏光方向からなる第３の偏光手段及び前記第２の偏光手段と同一の偏光方向からなる第４の偏光手段を具備してなる偏光メガネとを備え、その偏光メガネによって得られる両眼視差によって立体映像を表示するシステムで用いられるポインタ装置であって、
前記第１の偏光手段と同一の偏光方向からなる第５の偏光手段を介して、ポインタ光を投射する第１のポインタ光投射手段と、
前記第２の偏光手段と同一の偏光方向からなる第６の偏光手段を介して、ポインタ光を投射する第２のポインタ光投射手段と、
それぞれのポインタ光投射手段によって投射された２つのポインタ光間の距離を調節する距離調節手段と
を備えたことを特徴とするポインタ装置。
【請求項２】
前記第１のポインタ光投射手段及び前記第２のポインタ光投射手段から投射される２本のポインタ光に対する前記第５の偏光手段及び前記第６の偏光手段の取り付け角度を、前記第５の偏光手段及び前記第６の偏光手段の偏光方向を所定の角度に保持した状態で調節する角度調節手段を備えることを特徴とする請求項１に記載のポインタ装置。
【請求項３】
所定時間毎に右眼用映像と左眼用映像とを交互に切り替えて出力する映像出力手段と、その映像出力手段の右眼用映像に同期して作動する第１のシャッタ手段と前記映像出力手段の左眼用映像に同期して作動する第２のシャッタ手段とを具備してなるシャッタメガネとを備え、そのシャッタメガネによって得られる両眼視差によって立体映像を表示するシステムで用いられるポインタ装置であって、
前記映像出力手段の右眼用映像に同期して作動する第３のシャッタ手段を介して、ポインタ光を投射する第１のポインタ光投射手段と、
前記映像出力手段の左眼用映像に同期して作動する第４のシャッタ手段を介して、ポインタ光を投射する第２のポインタ光投射手段と、
それぞれのポインタ光投射手段によって投射された２つのポインタ光間の距離を調節する距離調節手段と
を備えたことを特徴とするポインタ装置。
【請求項４】
前記映像出力手段による右眼用映像及び左眼用映像の切り替えに同期して赤外線を出射する赤外線出射手段から出射された赤外線を受光する赤外線受光手段を有し、
前記第３のシャッタ手段及び前記第４のシャッタ手段は、前記赤外線受光手段によって受光した赤外線に同期して作動して、前記映像出力手段による右眼用映像及び左眼用映像の切り替えに同期して作動することを特徴とする請求項３に記載のポインタ装置。
【請求項５】
前記第１のポインタ光投射手段及び前記第２のポインタ光投射手段から投射された２本のポインタ光は、その光軸が平行とされることを特徴とする請求項１乃至請求項４の何れかに記載のポインタ装置。
【請求項６】
前記距離調節手段は、使用するユーザの操作に応じて、前記第１のポインタ光投射手段及び前記第２のポインタ光投射手段から投射される２本のポインタ光間の距離を調節する機構であることを特徴とする請求項１乃至請求項５の何れかに記載のポインタ装置。
【請求項７】
前記距離調節手段は、前記第１のポインタ光投射手段又は前記第２のポインタ光投射手段から投射される少なくとも１本のポインタ光を反射する光学部材を含む反射手段であって、当該反射手段が２本のポインタ光間の距離を調節する機構であることを特徴とする請求項１乃至請求項５の何れかに記載のポインタ装置。
【請求項８】
前記第１のポインタ光投射手段及び前記第２のポインタ光投射手段は、１本のポインタ光を出射し、
前記反射手段は、前記１本のポインタ光を２本のポインタ光に分離する光学部材を含むことを特徴とする請求項７に記載のポインタ装置。
【請求項９】
前記距離調節手段は、前記第１のポインタ光投射手段から投射されるポインタ光を反射する第１の反射手段と、前記第２のポインタ光投射手段から投射されるポインタ光を反射する第２の反射手段とを備え、前記第１の反射手段と前記第２の反射手段との距離を調整する機構であることを特徴とする請求項１乃至請求項５の何れかに記載のポインタ装置。
【請求項１０】
一方面が透過面とされると共に他方面が反射面とされ、一方のポインタ光投射手段から投射されたポインタ光を前記透過面で透過させ、他方のポインタ光投射手段から投射されたポインタ光を前記反射面で反射させるハーフミラーを備え、
前記距離調節手段は、前記ハーフミラーで一方のポインタ光投射手段から投射されたポインタ光と他方のポインタ光投射手段から投射されたポインタ光とを前記ハーフミラー上で重畳させるように、前記一方のポインタ光投射手段又は前記他方のポインタ光投射手段を移動させることを特徴とする請求項１乃至請求項５の何れかに記載のポインタ装置。
【請求項１１】
一方のポインタ光投射手段から右眼で視認されるポインタ光を投射させると共に他方のポインタ光投射手段から左眼で視認されるポインタ光を投射させる状態と、一方のポインタ光投射手段から左眼で視認されるポインタ光を投射させると共に他方のポインタ光投射手段から右眼で視認されるポインタ光を投射させる状態とを切り替える切替手段を備えることを特徴とする請求項１乃至請求項５の何れかに記載のポインタ装置。
【請求項１２】
前記距離調節手段は、前記一方のポインタ光投射手段と前記他方のポインタ光投射手段との距離を調整する機構であって、
前記一方のポインタ光投射手段と当該一方のポインタ光投射手段の光軸上に配設された偏光手段とが一体で構成されると共に、前記他方のポインタ光投射手段と当該他方のポインタ光投射手段の光軸上に配設された偏光手段とが一体で構成され、
前記切替手段は、何れかのポインタ光投射手段及び偏光手段を回転させる回転手段を備えることを特徴とする請求項１１に記載のポインタ装置。
【請求項１３】
前記距離調節手段は、前記一方のポインタ光投射手段と前記他方のポインタ光投射手段との距離を調整する機構であって、
前記切替手段は、前記一方のポインタ光投射手段の光軸上に配設された偏光手段と、前記他方のポインタ光投射手段の光軸上に配設された偏光手段との双方の偏光方向を回転させる回転手段を備えることを特徴とする請求項１１に記載のポインタ装置。
【請求項１４】
前記距離調節手段は、前記一方のポインタ光投射手段と前記他方のポインタ光投射手段との距離を調整する機構であって、
前記切替手段は、前記一方のポインタ光投射手段の光軸上に配設されたシャッタ手段の動作と、前記他方のポインタ光投射手段の光軸上に配設されたシャッタ手段との動作とを入れ替えることを特徴とする請求項１１に記載のポインタ装置。
【発明の詳細な説明】
【技術分野】
【０００１】
本発明は、右眼用映像及び左眼用映像を投射するプロジェクタから投射される投射光を受けて映像をスクリーンに表示させる立体映像表示用プロジェクタシステムにて用いられるポインタ装置に関する。
【背景技術】
【０００２】
従来より、映像をスクリーンに投射するプロジェクタを２台用い、これら２台のプロジェクタのそれぞれによって映像鑑賞者が右眼で観察するための右眼用映像と左眼で観察するための左眼用映像とをスクリーンに投射することにより、立体映像を視認させる立体映像表示用プロジェクタシステムが知られている。
【０００３】
この立体映像表示用プロジェクタシステムは、２台のプロジェクタが、それぞれ、偏光フィルタ又は液晶シャッタ等のシャッタを備えて構成される。そして、映像鑑賞者は、偏光メガネを装着することにより、２台のプロジェクタがそれぞれスクリーンに投射する右眼用映像と左眼用映像とを分離して、立体映像を鑑賞する。すなわち、映像鑑賞者は、右眼と左眼とで異なる映像を同時に視認することにより、奥行き感のある立体映像を鑑賞することができる。
【０００４】
なお、このような立体映像表示用プロジェクタシステムによって投射された投射光を受けて映像を表示するスクリーンは、特に当該立体映像表示用プロジェクタシステムが偏光フィルタを用いて構成されたものである場合には、その偏光方向を保持する素材から構成される。
【０００５】
このような立体映像表示用プロジェクタシステムは、映画等の娯楽に供されるのみならず、プレゼンテーションの場にも用いられることが多い。立体映像表示用プロジェクタシステムにおいては、プレゼンテーションに用いる場合には、発表者がレーザポインタ等の所定のポインタデバイスを用いて立体映像中の注目すべき箇所をポインティングしながら発表を行うことになる。
【０００６】
しかしながら、従来の立体映像表示用プロジェクタシステムにおいては、既存のレーザポインタ等を用いた場合には、スクリーンに表示されるポインタが２次元映像用であるので、映像鑑賞者がスクリーンのポインタ像部分の表示面を注視してしまい、鑑賞すべき立体映像の奥行き感を損ねてしまうという問題があった。
【０００７】
そこで、このような立体映像上でのポインティングに関する問題を解決することが試みられており、例えば下記の特許文献１等に記載されたものがある。
【０００８】
この特許文献１には、立体視できる３次元画像を表示しうる３次元画像表示装置を複数台備えると共に、立体視するためのソース画像情報を複数の３次元画像表示装置に送信する３次元画像情報処理手段を備えてなる３次元画像表示システムが開示されている。特に、この３次元画像表示システムは、３次元画像表示装置の少なくとも１台が、ポインタの３次元位置を指示するポインタ操作手段を具備し、３次元画像情報処理手段が、ポインタ操作手段によって指示された位置に対応する３次元画像上の位置にポインタを表示するためのポインタ情報を生成して複数の３次元画像表示装置に送信するものである。これにより、この３次元画像表示システムにおいては、立体視できる３次元画像とは独立したポインタを立体視させることができ、バーチャルリアリティではない一般の立体視できる３次元画像上での任意の位置を正確に指示することができるとしている。
【特許文献１】特開平８−２１１３３１号公報
【発明の開示】
【発明が解決しようとする課題】
【０００９】
しかしながら、特許文献１をはじめとする従来のポインティング技術は、ポインタを所定の計算機によって生成する構成としているので、大掛かりなシステムとなってしまい、既存のレーザポインタのような可搬性に優れたポインタデバイスに比べると、極めて使い勝手の悪いものであった。
【００１０】
そこで、本発明は、上述した実情に鑑みて提案されたものであり、既存のレーザポインタ等と同様に小型でありながらも、立体映像の奥行き感を何ら損なうことなくポインティングを行うことができるポインタ装置を提供することを目的とする。
【課題を解決するための手段】
【００１１】
本発明に係るポインタ装置は、いわゆる偏光メガネ方式による立体映像表示用プロジェクタシステムにて２本のポインタ光を投射する第１のポインタ光投射手段及び第２のポインタ光投射手段を有し、この２本のポインタ光を互いに偏光方向が異なる２つの第５の偏光手段及び第６の偏光手段をそれぞれ介して投射し、さらに、投射された２つのポインタ光間の距離を調節することにより、上述の課題を解決する。
【００１２】
また、本発明に係るポインタ装置は、いわゆるシャッタメガネ方式による立体映像表示用プロジェクタシステムにてポインタ像を投射する第１のポインタ投射手段及び第２のポインタ光投射手段を有し、映像出力手段による右眼用映像及び左眼用映像の切り替えに同期して第１のポインタ投射手段及び第２のポインタ光投射手段に設けられた２つの第３のシャッタ手段及び第４のシャッタ手段を作動させ、さらに、投射された２つのポインタ光間の距離を調節することにより、上述の課題を解決する。
【発明の効果】
【００１３】
本発明に係るポインタ装置によれば、投射されたポインタ像に基づいて、奥行き感に優れた立体像としてのポインタを映像鑑賞者に提示することができ、さらに、奥行き感の遠近を調整可能であるので、鑑賞させている立体映像の遠近に応じて、ポインタの奥行き感も調節することができ、小型化及び軽量化を図りながらも、映像全体としての鑑賞者の奥行き感を何ら損なうことがない。
【発明を実施するための最良の形態】
【００１４】
以下、本発明を適用した具体的な実施形態について図面を参照しながら詳細に説明する。
【００１５】
本発明は、右眼で観察するための右眼用映像と左眼で観察するための左眼用映像とをそれぞれスクリーンに投射するプロジェクタを用いて構成される立体映像表示用プロジェクタシステムにおけるポインタ装置に適用される。
【００１６】
［第１実施形態］
まず、第１実施形態に係る立体映像表示用プロジェクタシステムについて説明する。
【００１７】
［立体映像表示用プロジェクタシステムの構成］
第１実施形態に係るポインタ装置を備える立体映像表示用プロジェクタシステムは、図１に示すように、右眼用映像を投射する右眼用プロジェクタ１０Ｒと、左眼用映像を投射する左眼用プロジェクタ１０Ｌと、これら右眼用プロジェクタ１０Ｒ及び左眼用プロジェクタ１０Ｌのそれぞれから投射される投射光を受けて映像を表示するスクリーン２０と、所定のメガネフレームの眼枠に偏光フィルムを取り付けた偏光メガネ３０を装着した映像鑑賞者ＡＰ等によって所持されるポインタ装置４０とを備える。すなわち、この立体映像表示用プロジェクタシステムは、いわゆる偏光メガネ方式によるものとして構成される。この立体映像表示用プロジェクタシステムにおいて、右眼用プロジェクタ１０Ｒが第１の映像出力手段に相当し、左眼用プロジェクタ１０Ｌが第２の映像出力手段に相当する。なお、この実施形態においては、映像出力手段としてプロジェクタを例に挙げて説明するが、これに限らず、偏光板と有機ＥＬ等で構成したものであっても良い。
【００１８】
右眼用プロジェクタ１０Ｒ及び左眼用プロジェクタ１０Ｌは、それぞれ、映像鑑賞者ＡＰの右眼用映像と左眼用映像とをスクリーン２０に投射する。ここで、右眼用プロジェクタ１０Ｒ及び左眼用プロジェクタ１０Ｌには、それぞれ、その投射口に、互いに偏光方向が異なる偏光フィルタ１１Ｒ，１１Ｌが設けられる。この偏光フィルタ１１Ｒ，１１Ｌは、第１の偏光手段及び第２の偏光手段に相当する。
【００１９】
具体的には、これら偏光フィルタ１１Ｒ，１１Ｌは、それぞれ、互いに偏光方向が９０°異なるものとされる。すなわち、立体映像表示用プロジェクタシステムにおいては、偏光フィルタ１１Ｒを介して右眼用プロジェクタ１０Ｒから投射される右眼用映像の投射光の偏光方向が水平方向であった場合には、偏光フィルタ１１Ｌを介して左眼用プロジェクタ１０Ｌから投射される左眼用映像の投射光は、偏光方向が垂直方向とされる。
【００２０】
スクリーン２０は、右眼用プロジェクタ１０Ｒ及び左眼用プロジェクタ１０Ｌのそれぞれから投射される映像を受けて立体映像を表示する。このスクリーン２０は、右眼用プロジェクタ１０Ｒ及び左眼用プロジェクタ１０Ｌから投射されたそれぞれの映像の偏光方向を保持して偏光メガネ３０に導く素材から構成される。すなわち、スクリーン２０には、偏光フィルタ１１Ｒを介して右眼用プロジェクタ１０Ｒから投射される右眼用映像の投射光の偏光方向が水平方向であった場合には、そのまま偏光方向が水平方向に保持した右眼用映像を偏光メガネ３０に導くと共に、偏光方向が垂直方向に保持した左眼用映像を偏光メガネ３０に導く。
【００２１】
ポインタ装置４０は、スクリーン２０へと到達する光軸が平行とされる２本のレーザ光をポインタ像として投射するレーザ投射装置４１Ｒ，４１Ｌを有する。
【００２２】
なお、このレーザ投射装置４１Ｒ，４１Ｌは、第１のポインタ光投射手段及び第２のポインタ光投射手段に相当する。
【００２３】
換言すれば、ポインタ装置４０は、ポインタ像となるレーザ光を投射する既存の２つのレーザポインタを、右眼用のレーザ投射装置４１Ｒ，左眼用のレーザ投射装置４１Ｌとして用いて構成される。これらレーザ投射装置４１Ｒ，４１Ｌには、それぞれ、互いに偏光方向が異なる右眼用の偏光フィルタ４２Ｒ，左眼用の偏光フィルタ４２Ｌが設けられる。具体的には、これら偏光フィルタ４２Ｒ，４２Ｌは、それぞれ、右眼用プロジェクタ１０Ｒ及び左眼用プロジェクタ１０Ｌのそれぞれに設けられた偏光フィルタ１１Ｒ，１１Ｌと同様に、互いに偏光方向が９０°異なるものとされる。したがって、立体映像表示用プロジェクタシステムにおいては、互いに偏光方向が異なる２つのポインタ光からなるポインタ像ＰＴＲ，ＰＴＬがスクリーン２０に投射されることになる。
【００２４】
また、ポインタ装置４０は、特に図示しないが、ポインタ像ＰＴＲ，ＰＴＬ間の距離を可変的に調節する距離調節手段である距離調節機構を有する。例えば、この調節機構としては、所定のガイドレールに沿って直線移動可能な台座からなるリニアガイド機構又はラック及びピニオンからなる直動機構とを用いて構成することができる。このような距離調節機構においては、リニアガイドにおける台座又はラックに取り付けられた台座にレーザ投射装置４１Ｒ，４１Ｌを載置した状態で操作部材がユーザに操作されることにより、当該レーザ投射装置４１Ｒ，４１Ｌ間の距離を可変的に調節することができる。これにより、立体映像表示用プロジェクタシステムにおいては、スクリーン２０に投射されるポインタ像ＰＴＲ，ＰＴＬ間の距離が可変とされる。
【００２５】
このようなポインタ装置４０は、レーザ投射装置４１Ｒ，４１Ｌが第１のポインタ光投射手段及び２のポインタ光投射手段に相当し、偏光フィルタ４２Ｒ，４２Ｌが第５の偏光手段及び第６の偏光手段に相当する。
【００２６】
［立体映像表示用プロジェクタシステムの動作］
このような立体映像表示用プロジェクタシステムにおいては、映像鑑賞者ＡＰが偏光メガネ３０を装着し、スクリーン２０に表示される映像を鑑賞する。このとき、偏光メガネ３０は、右眼枠に右眼用プロジェクタ１０Ｒに設けられた偏光フィルタ１１Ｒと同じ偏光方向とされる偏光フィルムが取り付けられると共に、左眼枠に左眼用プロジェクタ１０Ｌに設けられた偏光フィルタ１１Ｌと同じ偏光方向とされる偏光フィルムが取り付けられて構成される。なお、この偏光メガネ３０に取り付けられた偏光フィルムは、第３の偏光手段及び第４の偏光手段に相当する。
【００２７】
したがって、映像鑑賞者ＡＰは、偏光フィルタ１１Ｒを介して右眼用プロジェクタ１０Ｒから投射されスクリーン２０に表示される右眼用映像を右眼によって視認すると同時に、偏光フィルタ１１Ｌを介して左眼用プロジェクタ１０Ｌから投射されスクリーン２０に表示される左眼用映像を左眼によって視認する。これにより、映像鑑賞者ＡＰは、奥行き感のある立体映像を鑑賞することができる。
【００２８】
また、立体映像表示用プロジェクタシステムにおいては、ポインタ装置４０における偏光フィルタ４２Ｒを介してレーザ投射装置４１Ｒからスクリーン２０に投射されたポインタ像ＰＴＲが、映像鑑賞者ＡＰの右眼によって視認される一方で、偏光フィルタ４２Ｌを介してレーザ投射装置４１Ｌからスクリーン２０に投射されたポインタ像ＰＴＬが、映像鑑賞者ＡＰの左眼によって視認されることになる。これにより、映像鑑賞者ＡＰは、ポインタ像ＰＴＲ，ＰＴＬを偏光メガネ３０を装着した状態で視認することにより、立体映像と共に奥行き感のある立体的なポインタを鑑賞することができる。
【００２９】
［ポインタ装置の原理］
ここで、ポインタ装置４０における２つのレーザ投射装置４１Ｒ，４１Ｌからスクリーン２０に投射されたポインタ像ＰＴＲ，ＰＴＬ間の距離は、映像鑑賞者ＡＰによる奥行き感の遠近の知覚に反映される。具体的には、立体映像表示用プロジェクタシステムにおいては、図２に示すように、映像鑑賞者ＡＰの右眼ＥＹＲと左眼ＥＹＬの距離をｄとし、スクリーン２０に投射されたポインタ像ＰＴＲ，ＰＴＬ間の距離をｌとし、映像鑑賞者ＡＰからスクリーン２０までの距離をＤＳとすると、映像鑑賞者ＡＰによって実際に知覚されるポインタＰＴの奥行き距離ＤＶは、
ＤＶ＝ＤＳ×ｄ／（ｄ−ｌ）
によって表すことができる。
【００３０】
すなわち、立体映像表示用プロジェクタシステムにおいては、図２（Ａ）に示すように、スクリーン２０に投射されたポインタ像ＰＴＲ，ＰＴＬの位置関係が映像鑑賞者ＡＰの右眼ＥＹＲと左眼ＥＹＬとに対応して左右に並び、これらポインタ像ＰＴＲ，ＰＴＬ間が距離ｌである場合には、ポインタＰＴは、スクリーン２０よりも奥行き方向に視認される。また、立体映像表示用プロジェクタシステムにおいては、図２（Ｂ）に示すように、スクリーン２０に投射されたポインタ像ＰＴＲ，ＰＴＬ間が距離ｌ＝０である場合には、ポインタＰＴは、スクリーン２０の表示面上に視認される。さらに、立体映像表示用プロジェクタシステムにおいては、図２（Ｃ）に示すように、スクリーン２０に投射されたポインタ像ＰＴＲ，ＰＴＬの位置関係が映像鑑賞者ＡＰの右眼ＥＹＲと左眼ＥＹＬの並びと逆転して左右に並び、これらポインタ像ＰＴＲ，ＰＴＬ間が距離ｌである場合には、ポインタＰＴは、スクリーン２０よりも手前方向に視認される。
【００３１】
このように、立体映像表示用プロジェクタシステムにおいては、ポインタ装置４０における２つのレーザ投射装置４１Ｒ，４１Ｌからスクリーン２０に投射されたポインタ像ＰＴＲ，ＰＴＬ間の距離ｌを距離調節機構によって調節することにより、映像鑑賞者ＡＰによって知覚されるポインタＰＴの奥行き感を変化させることができる。一例として、映像鑑賞者ＡＰからスクリーン２０までの距離が１００ｃｍの場合における立体表示用プロジェクタシステムにおいて、レーザ投射装置４１Ｒ，４１Ｌ間の距離を−６．５〜６．５ｃｍ程度に調節可能とするように構成しても良く、これにより、スクリーン２０よりも手前方向の距離を負値とすると、ポインタ像の目視位置を−５０ｃｍ〜＋∞ｃｍ程度程度の範囲で変化させることができる。
【００３２】
また、ポインタ装置４０は、スクリーン２０に投射する２本のポインタ光に対するそれぞれの偏光フィルタ４２Ｒ、４２Ｌの取り付け角度を、互いの偏光フィルタ４２Ｒ、４２Ｌの偏光方向を所定の角度に保持した状態で調節する角度調節手段を備えることが望ましい。
【００３３】
具体的には、図３に示すように、２つのレーザ投射装置４１Ｒ，４１Ｌの投射面に、それぞれ、偏光フィルタ４２Ｒ，４２Ｌが設けられた回転可能な筒状部材４３Ｒ，４３Ｌをカメラレンズのように取り付け、偏光フィルタ１１Ｒ，１１Ｌを介して右眼用プロジェクタ１０Ｒ及び左眼用プロジェクタ１０Ｌのそれぞれから投射される投射光の偏光方向と合わせるように、当該レーザ投射装置４１Ｒ，４１Ｌに対する偏光フィルタ４２Ｒ，４２Ｌの取り付け角度を調節する角度調節手段である角度調節機構を有するようにしてもよい。すなわち、ポインタ装置４０は、偏光フィルタ４２Ｒ，４２Ｌを、それぞれ、光軸回りに回転可能に構成される。例えば、この角度調節機構としては、特に図示しないが、レーザ投射装置４１Ｒ，４１Ｌの筐体表面に複数の溝を設けることによって２つのギアを構成し、これら２つのギアを所定の操作部材が回転するようにユーザに操作されることに同期して、偏光フィルタ４２Ｒ、４２Ｌを共に同一方向に回転可能に構成したものを用いることができる。
【００３４】
これにより、立体映像表示用プロジェクタシステムにおいては、右眼用プロジェクタ１０Ｒ及び左眼用プロジェクタ１０Ｌのそれぞれに対する偏光フィルタ１１Ｒ，１１Ｌの取り付け角度が機種毎に異なることが多いものの、その差異を柔軟且つ容易に吸収することができる。また、例えばプレゼンテーション等においては、たとえ偏光フィルタ１１Ｒ，１１Ｌを介して右眼用プロジェクタ１０Ｒ及び左眼用プロジェクタ１０Ｌのそれぞれから投射される投射光の偏光方向と、偏光フィルタ４２Ｒ，４２Ｌを介してレーザ投射装置４１Ｒ，４１Ｌから投射されるレーザ光の偏光方向とを予め設定したとしても、ポインタ装置４０の所持の仕方によっては、これら偏光方向がずれてしまう事態が生じるが、立体映像表示用プロジェクタシステムにおいては、レーザ投射装置４１Ｒ，４１Ｌに対する偏光フィルタ４２Ｒ，４２Ｌの取り付け角度を調節することにより、これら偏光方向を予め設定しておく必要がなく、プレゼンテーションの最中等に、発表者たる映像鑑賞者ＡＰがポインタ装置４０を操作して、レーザ投射装置４１Ｒ，４１Ｌから投射されるレーザ光の偏光方向を任意に設定することができる。
【００３５】
［第１実施形態の効果］
以上詳細に説明したように、第１実施形態に係る立体映像表示用プロジェクタシステムにおいては、ポインタ装置４０として、ポインタとなる２本のレーザ光を投射する２つのレーザ投射装置４１Ｒ，４１Ｌと、これら２つのレーザ投射装置４１Ｒ，４１Ｌのそれぞれに設けられた互いに偏光方向が異なる２つの偏光フィルタ４２Ｒ，４２Ｌと、２つのレーザ投射装置４１Ｒ，４１Ｌによってスクリーン２０に投射されたポインタ像ＰＴＲ，ＰＴＬ間の距離を可変的に調節する距離調節機構とを有するものとする。
【００３６】
これにより、この立体映像表示用プロジェクタシステムにおいては、スクリーン２０に投射されたポインタ像ＰＴＲ，ＰＴＬに基づいて、奥行き感に優れた立体像としてのポインタＰＴを映像鑑賞者ＡＰに提示することができ、さらに、奥行き感の遠近を調整可能であるので、提示している立体映像の遠近に応じて、ポインタＰＴの奥行き感も調節することができ、映像全体としての奥行き感を何ら損なうことがない。また、ポインタ装置４０は、計算機等を要しないので、小型化及び軽量化を実現することができる。
【００３７】
また、ポインタ装置４０は、レーザ投射装置４１Ｒ，４１Ｌに対する偏光フィルタ４２Ｒ，４２Ｌの取り付け角度を調節する角度調節機構を有するので、右眼用プロジェクタ１０Ｒ及び左眼用プロジェクタ１０Ｌに対する偏光フィルタ１１Ｒ，１１Ｌの取り付け角度との相違を柔軟且つ容易に吸収することができる。
【００３８】
さらに、ポインタ装置４０においては、レーザ投射装置４１Ｒ，４１Ｌから投射されてスクリーン２０へと到達する２本のレーザ光の光軸が平行とされるので、当該ポインタ装置４０とスクリーン２０の表示面までの距離に依存することがなく、奥行き感のあるポインタを視認させることができる。
【００３９】
さらにまた、ポインタ装置４０においては、距離調節機構として、２つのレーザ投射装置４１Ｒ，４１Ｌ間の距離を可変的に調節するものとすることにより、スクリーン２０に投射されたポインタ像ＰＴＲ，ＰＴＬ間の距離を高精度に調節することができる。
【００４０】
［第２実施形態］
つぎに、第２実施形態に係る立体映像表示用プロジェクタシステムについて説明する。なお、この第２実施形態の説明では、上述の第１実施形態と同様の部分についてはその詳細な説明を省略するものとする。
【００４１】
この第２実施形態に係る立体映像表示用プロジェクタシステムは、いわゆるシャッタメガネ方式によるものとして構成されるものである。
【００４２】
第２実施形態に係る立体映像表示用プロジェクタシステムは、図４に示すように、所定時間毎に右眼用映像と左眼用映像とをスクリーン２０に投射するシャッタメガネ対応プロジェクタ５０と、このシャッタメガネ対応プロジェクタ５０の垂直同期信号に同期して赤外線を出射する赤外線出射部６０と、所定のメガネフレームの眼枠に液晶シャッタを取り付けたシャッタメガネ７０を装着した映像鑑賞者ＡＰ等によって所持されるポインタ装置８０とを備える。このような立体映像表示用プロジェクタシステムにおいて、シャッタメガネ対応プロジェクタ５０が映像出力手段に相当する。
【００４３】
シャッタメガネ対応プロジェクタ５０は、映像鑑賞者ＡＰの右眼用映像と左眼用映像とをスクリーン２０に投射する。このとき、シャッタメガネ対応プロジェクタ５０は、所定時間毎、具体的にはフレーム毎に右眼用映像と左眼用映像とを交互に切り替えてスクリーン２０に投射する。
【００４４】
赤外線出射部６０は、シャッタメガネ対応プロジェクタ５０の垂直同期信号、すなわち、右眼用映像と左眼用映像とをフレーム毎に交互に切り替えて投射する際のフレーム切り替え信号に同期して赤外線を出射する。この赤外線出射部６０によって出射された赤外線は、映像鑑賞者ＡＰが装着するシャッタメガネ７０及びポインタ装置８０によって受光される。
【００４５】
ポインタ装置８０は、スクリーン２０へと到達する光軸が平行とされる２本のレーザ光を投射するレーザ投射装置８１Ｒ，８１Ｌを有する。これらレーザ投射装置８１Ｒ，８１Ｌには、それぞれ、赤外線出射部６０から出射された赤外線を受光する赤外線受光手段である赤外線受光部８３によって受光した赤外線に同期して、すなわちシャッタメガネ対応プロジェクタ５０によるフレーム切り替えに同期して、映像を透過又は遮断するように作動する液晶シャッタ８２Ｒ，８２Ｌが設けられる。なお、特に図示しないが、このポインタ装置８０は、赤外線受光部８３により赤外線に応じて液晶シャッタ８２Ｒ，８２Ｌを駆動する液晶駆動装置を備える。なお、このポインタ装置８０において、液晶シャッタ８２Ｒ，８２Ｌは、第３のシャッタ手段及び第４のシャッタ手段に相当する。
【００４６】
具体的には、液晶シャッタ８２Ｒは、シャッタメガネ対応プロジェクタ５０によって右眼用映像が投射されたフレームでは右眼用映像を透過する一方で、当該シャッタメガネ対応プロジェクタ５０によって左眼用映像が投射されたフレームでは左眼用映像を遮断するように作動する。一方、液晶シャッタ８２Ｌは、シャッタメガネ対応プロジェクタ５０によって右眼用映像が投射されたフレームでは右眼用映像を遮断する一方で、当該シャッタメガネ対応プロジェクタ５０によって左眼用映像が投射されたフレームでは左眼用映像を透過するように作動する。
【００４７】
なお、ポインタ装置８０は、特に図示しないが、ポインタ像ＰＴＲ，ＰＴＬ間の距離を可変的に調節する上述した距離調節機構を有する。
【００４８】
［立体映像表示用プロジェクタシステムの動作］
このような立体映像表示用プロジェクタシステムにおいては、映像鑑賞者ＡＰがシャッタメガネ７０を装着し、スクリーン２０に表示される映像を鑑賞する。このとき、シャッタメガネ７０は、右眼枠にシャッタメガネ対応プロジェクタ５０によって投射された右眼用映像に同期して作動する液晶シャッタが取り付けられると共に、左眼枠に当該シャッタメガネ対応プロジェクタ５０によって投射された左眼用映像に同期して作動する液晶シャッタが取り付けられて構成される。これらの液晶シャッタは、第１のシャッタ手段及び第２のシャッタ手段に相当する。
【００４９】
したがって、映像鑑賞者ＡＰは、あるフレームでは、シャッタメガネ対応プロジェクタ５０から投射されスクリーン２０に表示される右眼用映像を右眼によって視認し、次のフレームでは、当該シャッタメガネ対応プロジェクタ５０から投射されスクリーン２０に表示される左眼用映像を左眼によって視認する、といったように、フレーム毎に右眼用映像と左眼用映像とを交互に切り替えて視認する。これにより、映像鑑賞者ＡＰは、奥行き感のある立体映像を鑑賞することができる。
【００５０】
また、立体映像表示用プロジェクタシステムにおいては、あるフレームでは、ポインタ装置８０におけるレーザ投射装置８１Ｒからスクリーン２０に投射されたポインタ像ＰＴＲが、映像鑑賞者ＡＰの右眼によって視認され、次のフレームでは、レーザ投射装置８１Ｌからスクリーン２０に投射されたポインタ像ＰＴＬが、映像鑑賞者ＡＰの左眼によって視認されることになる。これにより、映像鑑賞者ＡＰは、ポインタ像ＰＴＲ，ＰＴＬをシャッタメガネ７０を装着した状態で視認することにより、立体映像と共に奥行き感のある立体的なポインタを鑑賞することができる。
【００５１】
そして、このような立体映像表示用プロジェクタシステムにおいては、ポインタ装置４０と同様に、ポインタ装置８０における２つのレーザ投射装置８１Ｒ，８１Ｌからスクリーン２０に投射されたポインタ像ＰＴＲ，ＰＴＬ間の距離を距離調節機構によって調節する。これにより、立体映像表示用プロジェクタシステムにおいては、映像鑑賞者ＡＰによって知覚されるポインタＰＴの奥行き感を変化させることができる。
【００５２】
［第２実施形態の効果］
以上詳細に説明したように、第２実施形態に係る立体映像表示用プロジェクタシステムにおいては、ポインタ装置８０として、ポインタとなる２本のレーザ光を投射するレーザ投射装置８１Ｒ，８１Ｌと、これらレーザ投射装置８１Ｒ，８１Ｌのそれぞれに設けられ、シャッタメガネ対応プロジェクタ５０による右眼用映像及び左眼用映像の切り替えに同期して作動する２つの液晶シャッタ８２Ｒ，８２Ｌと、２つのレーザ投射装置８１Ｒ，８１Ｌによってスクリーン２０に投射されたポインタ像ＰＴＲ，ＰＴＬ間の距離を可変的に調節する距離調節機構とを有するものとする。
【００５３】
これにより、この立体映像表示用プロジェクタシステムにおいては、スクリーン２０に投射されたポインタ像ＰＴＲ，ＰＴＬに基づいて、奥行き感に優れた立体像としてのポインタＰＴを映像鑑賞者ＡＰに提示することができ、さらに、奥行き感の遠近を調整可能であるので、提示している立体映像の遠近に応じて、ポインタＰＴの奥行き感も調節することができ、映像全体としての奥行き感を何ら損なうことがない。また、ポインタ装置８０は、計算機等を要しないので、小型化及び軽量化を実現することができる。
【００５４】
また、ポインタ装置８０は、シャッタメガネ対応プロジェクタ５０による右眼用映像及び左眼用映像の切り替えに同期して赤外線を出射する赤外線出射部６０から出射された赤外線を受光する赤外線受光部８３を有し、液晶シャッタ８２Ｒ，８２Ｌが、赤外線受光部８３によって受光した赤外線に基づいて、シャッタメガネ対応プロジェクタ５０による右眼用映像及び左眼用映像の切り替えに同期して作動させる。
【００５５】
これにより、ポインタ装置８０においては、確実に液晶シャッタ８２Ｒ，８２Ｌをシャッタメガネ対応プロジェクタ５０による右眼用映像及び左眼用映像の切り替えに同期させることができる。
【００５６】
［ポインタ装置の変形例］
［ポインタ装置の第１の変形例］
ポインタ装置の第１の変形例は、距離調節機構を用いて２つのレーザ投射装置を直接可動させることなく、スクリーン２０に投射されるポインタ像ＰＴＲ，ＰＴＬ間の距離を可変とするものである。すなわち、このポインタ装置は、２つのレーザ投射装置のうち少なくとも一方から投射されるレーザ光を反射するミラーやプリズム等の可動式の光学部材を含む反射手段を距離調節手段として設けて構成される。
【００５７】
具体的には、ポインタ装置は、図５に示すように、２つのレーザ投射装置９０Ｒ，９０Ｌのうち、一方のレーザ投射装置９０Ｒの投射面に、反射手段として、当該レーザ投射装置９０Ｒから投射されたレーザ光を直角方向に反射する固定ミラー１００を設けると共に、この固定ミラー１００によって反射されたレーザ光をさらに直角方向に反射する可動ミラー１０１を、当該固定ミラー１００と反射面が平行となるように並設することによって構成することができる。すなわち、このポインタ装置は、レーザ投射装置９０Ｌから投射されてスクリーン２０へと到達するレーザ光の光軸と可動ミラー１０１によって反射されてスクリーン２０へと到達するレーザ光の光軸とが平行とされる。そして、このポインタ装置においては、固定ミラー１００と可動ミラー１０１との間の距離が可変とされる。
【００５８】
このように、ポインタ装置においては、２つのレーザ投射装置９０Ｒ，９０Ｌのうち少なくとも一方から投射されるレーザ光を反射する可動式の光学部材を含む反射手段を用いて２本のレーザ光間の距離を可変的に調節することにより、スクリーン２０にポインタＰＴとして投射すべきレーザ光の光路を調整することができる。したがって、このポインタ装置においては、２つのレーザ投射装置９０Ｒ，９０Ｌを直接可動させることなく、投射したレーザ光に基づいてスクリーン２０に投射されるポインタ像ＰＴＲ，ＰＴＬ間の距離を可変とすることができる。これにより、ポインタ装置においては、レーザ投射装置９０Ｒ，９０Ｌを直接可動させる場合に比べ、可動すべき部分を小型及び軽量とすることができるので、当該ポインタ装置の小型化及び軽量化を図ることができる。
【００５９】
なお、この第１の変形例は、第１実施形態及び第２実施形態として示した立体映像表示用プロジェクタシステムにおけるポインタ装置に共通して適用することができる。
【００６０】
［ポインタ装置の第２の変形例］
ポインタ装置の第２の変形例は、距離調節機構を用いて２つのレーザ投射装置を直接可動させることを不要とするのみならず、レーザ投射装置の個数を削減したものである。
【００６１】
具体的には、ポインタ装置は、図６に示すように、１つのレーザ投射装置１１０の投射面に、反射手段として、当該レーザ投射装置１１０から投射されたレーザ光を透過光と反射光の２方向に分離する光学部材であるハーフミラー１２０を設けると共に、このハーフミラー１２０によって反射されたレーザ光をさらに直角方向に反射する可動ミラー１２１を、当該ハーフミラー１２０と反射面が平行となるように並設することによって構成することができる。すなわち、このポインタ装置は、ハーフミラー１２０によって透過されてスクリーン２０へと到達するレーザ光の光軸と可動ミラー１２１によって反射されてスクリーン２０へと到達するレーザ光の光軸とが平行とされる。そして、このポインタ装置においては、ハーフミラー１２０と可動ミラー１２１との間の距離が可変とされる。
【００６２】
このように、ポインタ装置においては、２つのレーザ投射口の代わりに１つのレーザ投射装置１１０を有し、ハーフミラー１２０を用いてレーザ投射装置１１０から投射されたレーザ光を透過光と反射光の２方向に分離することにより、１つのレーザ投射装置１１０のみでポインタ像ＰＴＲ，ＰＴＬをスクリーン２０に投射することができ、また、ハーフミラー１２０と可動ミラー１２１との間の距離を可変的に調節することにより、ポインタ像ＰＴＲ，ＰＴＬ間の距離を可変とすることができる。これにより、ポインタ装置においては、レーザ投射装置の個数を削減することができ、第１の変形例に比べ、さらに当該ポインタ装置の小型化及び軽量化を図ることができる。
【００６３】
なお、この第２の変形例は、第１実施形態及び第２実施形態として示した立体映像表示用プロジェクタシステムにおけるポインタ装置に共通して適用することができる。
【００６４】
［ポインタ装置の第３の変形例］
ポインタ装置の第３の変形例は、上述の距離調節機構が、一方のレーザ投射装置から投射されるレーザ光を反射する反射部材と、他方のレーザ投射装置から投射されるレーザ光を反射する反射部材とを備え、当該双方の反射部材との距離を調整する機構であることを特徴とするものである。
【００６５】
具体的には、図７に示すように、距離調節機構を用いて２つのレーザ投射装置を直接可動させることなく、スクリーン２０に投射されるポインタ像ＰＴＲ，ＰＴＬ間の距離を可変とするものである。すなわち、このポインタ装置は、２つのレーザ投射装置のうち少なくとも一方から投射されるレーザ光を反射するミラーやプリズム等の可動式の光学部材を含む反射手段を距離調節手段として設けて構成される。
【００６６】
この第３の変形例は、図７に示すように、レーザ投射装置１３１Ｒ，１３１Ｌのレーザ投射口に、それぞれ偏光方向が異なる偏光フィルタ１３２Ｒ，１３２Ｌを設けている。ここで、レーザ投射装置１３１Ｒとレーザ投射装置１３１Ｌとは、互いにレーザ投射口が対向する位置に配置されている。
【００６７】
また、レーザ投射装置１３１Ｒから投射されたレーザ光が偏光フィルタ１３２Ｒを通過した光軸上には、当該レーザ光を直角に反射してスクリーン２０に投射させる反射部品１３３Ｒが設けられ、レーザ投射装置１３１Ｌから投射されたレーザ光が偏光フィルタ１３２Ｌを通過した光軸上には、当該レーザ光を直角に反射してスクリーン２０に投射させる反射部品１３３Ｌが設けられる。反射部品１３３Ｒ，１３３Ｌは、偏光フィルタ１３２Ｒ，１３２Ｌを通過したレーザ光の偏光方向を保つように構成されている。
【００６８】
これにより、ポインタ装置は、レーザ投射装置１３１Ｒ，１３１Ｌのそれぞれから投射されて、偏光フィルタ１３２Ｒ，１３２Ｌを透過して、反射部品１３３Ｒ，１３３Ｌで反射された２本のレーザ光を平行とすることによって、ポインタ像ＰＴＲ，ＰＴＬをスクリーン２０上に投射することができる。
【００６９】
また、このポインタ装置は、反射部品１３３Ｌを可動ミラーとし、距離調整機構によって、反射部品１３３Ｌをレーザ投射装置１３１Ｌの光軸上で移動させることによって、レーザ投射装置１３１Ｌから遠ざかった位置の反射部品１３３Ｌ’とする。これによって、２本のレーザ光の間隔を短くすることができる。
【００７０】
なお、この第３の変形例は、レーザ投射装置１３１Ｒ，１３１Ｌの光軸上に偏光フィルタ１３２Ｒ，１３２Ｌを設けた場合を示したが、当該偏光フィルタ１３２Ｒ，１３２Ｌに代えて液晶フィルタを設けても、同様の構成とすることができる。
【００７１】
このような第３の変形例に係るポインタ装置によれば、スクリーン２０に投射する２本のレーザ光を平行とするために、反射部品１３３Ｒ，１３３Ｌを使用し、当該反射部品１３３Ｒ，１３３Ｌの一方を可動とすることにより、レーザ投射装置１３１等の構成部品の大きさに起因する可動範囲の制約を回避することができ、２本のレーザ光の距離をより短くすることができる。
【００７２】
なお、この第３の変形例は、第１実施形態及び第２実施形態として示した立体映像表示用プロジェクタシステムにおけるポインタ装置に共通して適用することができる。
【００７３】
［ポインタ装置の第４の変形例］
第４の変形例に係るポインタ装置は、一方面が透過面とされると共に他方面が反射面とされ、一方のレーザ投射装置から投射されたレーザ光を透過面で透過させ、他方のレーザ投射装置から投射されたレーザ光を反射面で反射させるハーフミラーを備え、距離調節機構が、ハーフミラーで一方のレーザ光投射装置から投射されたレーザ光と他方のレーザ光投射装置から投射されたレーザ光とをハーフミラー上で重畳させるように、一方のレーザ光投射装置又は他方のレーザ光投射装置を移動させることを特徴とするものである。
【００７４】
具体的には、図８に示すように、２本の光軸が直交するようにレーザ投射装置１４１とレーザ投射装置１４２とを配置し、レーザ投射装置１４１の光軸上及びレーザ投射装置１４２の光軸上の双方に亘って配置されたハーフミラー１４５と、レーザ投射装置１４１から投射されたレーザ光をハーフミラー１４５に反射するミラー１４６とを備える。
【００７５】
このポインタ装置において、レーザ投射装置１４１の光軸上には偏光フィルタ１４３が配設され、レーザ投射装置１４２の光軸上には偏光フィルタ１４３とは異なる偏光方向の偏光フィルタ１４４が配設されている。なお、偏光フィルタ１４３及び偏光フィルタ１４４に代えて、液晶シャッタを備えていても良い。
【００７６】
このように構成されたポインタ装置において、レーザ投射装置１４２から投射されたレーザ光は、ハーフミラー１４５を透過してスクリーン２０に投射される。一方、レーザ投射装置１４１から投射されたレーザ光は、ハーフミラー１４５を透過して、ミラー１４６で反射し、ハーフミラー１４５で反射して、レーザ投射装置１４２から投射されるレーザ光と平行とされ、ポインタ像ＰＴＲ，ＰＴＬをスクリーン２０上に投射することができる。
【００７７】
また、このポインタ装置は、レーザ投射装置１４１を可動式とし、距離調整機構によって、レーザ投射装置１４１をレーザ投射装置１４２の光軸方向において移動させる。すなわち、偏光フィルタ１４４を通過した直後であって、ハーフミラー１４５の反射面付近でレーザ投射装置１４２から投射されたレーザ光と直交するような位置のレーザ投射装置１４１’とすることができる。これによって、レーザ投射装置１４１から投射されたレーザ光と、レーザ投射装置１４２から投射されたレーザ光とをハーフミラー１４５上で完全に重畳させることができる。
【００７８】
このような第４の変形例に係るポインタ装置によれば、ハーフミラー１４５の反射面上において、レーザ投射装置１４１から投射されたレーザ光と、レーザ投射装置１４２から投射されたレーザ光とを完全に重畳させることができ、上述の図２（Ｃ）に示すような状態を簡単に作り出すことができる。
【００７９】
したがって、このポインタ装置は、ポインタ像ＰＴＲ，ＰＴＬの間隔を正、負のみならず、完全にした零とした状態を含めて調整することができる。
【００８０】
なお、この第４の変形例は、第１実施形態及び第２実施形態として示した立体映像表示用プロジェクタシステムにおけるポインタ装置に共通して適用することができる。
【００８１】
［ポインタ装置の第５の変形例］
第５の変形例に係るポインタ装置は、一方のレーザ光投射装置から右眼で視認されるレーザ光を投射させると共に他方のレーザ光投射装置から左眼で視認されるレーザ光を投射させる状態と、一方のレーザ光投射装置から左眼で視認されるレーザ光を投射させると共に他方のレーザ光投射装置から右眼で視認されるレーザ光を投射させる状態とを切り替える切替手段を備えるものである。
【００８２】
具体的には、図９乃至図１１に示すように、偏光フィルタ又は液晶シャッタとレーザ投射装置との組単位で、左眼用と右眼用とで切り替え可能としている。
【００８３】
図９に示すポインタ装置は、距離調節機構によって、一方のレーザ光投射装置と他方のレーザ光投射装置との距離を調整すると共に、一方のレーザ光投射装置と当該一方のレーザ光投射装置の光軸上に配設された偏光フィルタとが一体で構成されると共に、他方のレーザ光投射装置と当該他方のレーザ光投射装置の光軸上に配設された偏光フィルタとが一体で構成されている。そして、切替手段により、何れかのレーザ光投射装置及び偏光フィルタを回転させる。
【００８４】
更に具体的には、ポインタ装置は、レーザ投射装置１５１の光軸上に設けられた直線偏光フィルタ１５２、及び、レーザ投射装置１５３の光軸上に設けられた直線偏光フィルタ１５４を、それぞれのレーザ光の光軸を中心として回転するように構成されている。また、このポインタ装置は、レーザ投射装置１５３及び直線偏光フィルタ１５４が、レーザ投射装置１５１との距離が調整可能な距離調節機構を備えている。
【００８５】
そして、図９（ａ）に示すように、レーザ投射装置１５１及び直線偏光フィルタ１５２を右眼用の偏光方向としたレーザ投射装置１５１（Ｒ）及び直線偏光フィルタ１５２（Ｒ）とする一方で、レーザ投射装置１５３及び直線偏光フィルタ１５４を左眼用の偏光方向としたレーザ投射装置１５３（Ｌ）及び直線偏光フィルタ１５４（Ｌ）とする。ここで、直線偏光フィルタ１５２（Ｒ）の偏光方向が水平であって、直線偏光フィルタ１５４（Ｌ）の偏光方向が垂直である場合には、直線偏光フィルタ１５２（Ｒ）の偏光方向を垂直、直線偏光フィルタ１５４（Ｌ）の偏光方向を水平とするように偏光方向をそれぞれ９０°回転させる。
【００８６】
ここで、ポインタ装置は、図９に示すように、レーザ投射装置１５１及び直線偏光フィルタ１５２を一体化した構成にして、光軸を中心としてレーザ投射装置１５１本体を回転させて直線偏光フィルタ１５２を回転させる場合や、図１０に示すように、レーザ投射装置１５１及びレーザ投射装置１５３を回転させずに、直線偏光フィルタ１５２及び直線偏光フィルタ１５４の双方を回転させる場合であっても良い。
【００８７】
これにより、図９（ａ）及び図１０（ａ）の状態から、図９（ｂ）及び図１０（ｂ）に示すように、レーザ投射装置１５１及び直線偏光フィルタ１５２を左眼用のレーザ投射装置１５１（Ｌ）及び直線偏光フィルタ１５２（Ｌ）に変更すると共に、レーザ投射装置１５３及び直線偏光フィルタ１５４を右眼用のレーザ投射装置１５３（Ｒ）及び直線偏光フィルタ１５４（Ｒ）に変更することができる。
【００８８】
したがって、このポインタ装置によれば、スクリーン２０に投射するポインタ像ＰＴＲ，ＰＴＬを図２（Ａ）に示す状態から、図２（Ｃ）に示す状態に切り替えるに際して、レーザ投射装置１５１とレーザ投射装置１５３との距離を調整することによってポインタ像ＰＴＲ，ＰＴＬの距離を調節できると共に、右眼用と左目用とを切り替えることができる。したがって、このポインタ装置によれば、即座に図２（Ａ）に示す状態から、図２（Ｃ）に示す状態に切り替えることができ、更には、ポインタ像ＰＴＲ，ＰＴＬの距離を大きくして、更にポインタ像ＰＴＲ，ＰＴＬの奥行き感を与えることができる。また、このポインタ装置によれば、上述のように２本のレーザ光を近づける場合のみならず、奥行き方向に視認させる状態、２本のレーザ光を重畳させた状態、手前方向に視認させる状態の順で遷移させることができる。
【００８９】
また、この第５の変形例に係るポインタ装置は、距離調節機構によって、一方のレーザ光投射装置と他方のレーザ光投射装置との距離を調整すると共に、切替手段によって、一方のレーザ光投射装置の光軸上に配設された液晶シャッタの動作と、他方のレーザ光投射装置の光軸上に配設された液晶シャッタとの動作とを入れ替える。
【００９０】
具体的には、直線偏光フィルタ１５２及び直線偏光フィルタ１５４に代えて、図１１に示すように、液晶シャッタ１６１及び液晶シャッタ１６２をレーザ投射装置１５１及びレーザ投射装置１５３の光軸上に設け、右眼用と左目用とで動作を切り替えても良い。
【００９１】
すなわち、図１１（ａ）に示すように、シャッタメガネ７０の右目の液晶シャッタの動作と液晶シャッタ１６１とを同期させると共に、シャッタメガネ７０の左目の液晶シャッタの動作と、液晶シャッタ１６２とを同期させる状態から、例えばスイッチ回路によって液晶シャッタ１６１と液晶シャッタ１６２との間で結線を切り替えることによって、液晶シャッタ１６１の動作と液晶シャッタ１６２との動作とを切り替える。これにより、図１１（ｂ）に示すように、液晶シャッタ１６１を左眼用とし、液晶シャッタ１６２を右眼用とすることができ、即座に図２（Ａ）に示す状態から、図２（Ｃ）に示す状態に切り替えることができ、更には、ポインタ像ＰＴＲ，ＰＴＬの距離を大きくして、更にポインタ像ＰＴＲ，ＰＴＬの奥行き感を与えることができる。また、このポインタ装置によれば、上述のように２本のレーザ光を近づける場合のみならず、奥行き方向に視認させる状態、２本のレーザ光を重畳させた状態、手前方向に視認させる状態の順で遷移させることができる。
【００９２】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【図面の簡単な説明】
【００９３】
【図１】本発明の第１実施形態に係る立体映像表示用プロジェクタシステムの構成を示す図である。
【図２】ポインタ装置における２つのレーザ投射装置からスクリーンに投射された２つのレーザ光間の距離に応じて、映像鑑賞者によって視認されるポインタの位置が変化する様子を説明するための図であって、（Ａ）はポインタがスクリーンよりも奥行き方向に視認される場合を説明するための図であり、（Ｂ）はポインタがスクリーンの表示面上に視認される場合を説明するための図であり、（Ｃ）はポインタがスクリーンよりも手前方向に視認される場合を説明するための図である。
【図３】ポインタ装置におけるレーザ投射装置に対する偏光フィルタの取り付け角度を調節可能な構成について示す図である。
【図４】本発明の第２実施形態に係る立体映像表示用プロジェクタシステムの構成を示す図である。
【図５】ポインタ装置の第１の変形例として、レーザ投射装置を直接可動させることなくスクリーンに投射される２つのレーザ光間の距離を可変可能とする構成について示す図である。
【図６】ポインタ装置の第２の変形例として、レーザ投射装置の個数を削減可能とする構成について示す図である。
【図７】ポインタ装置の第３の変形例として、２本のレーザ光の距離を短くする構成について示す図である。
【図８】ポインタ装置の第４の変形例として、２本のレーザ光を重畳できる構成について示す図である。
【図９】ポインタ装置の第５の変形例として、レーザ投射装置本体を回転させることによって２本のレーザ光の距離範囲を広くした構成について示す図である。
【図１０】ポインタ装置の第５の変形例として、変更フィルタを回転させることによって２本のレーザ光の距離範囲を広くした構成について示す図である。
【図１１】ポインタ装置の第５の変形例として、液晶シャッタの結線を切り替えることによって２本のレーザ光の距離範囲を広くした構成について示す図である。
【符号の説明】
【００９４】
１０Ｒ  右眼用プロジェクタ
１０Ｌ  左眼用プロジェクタ
１１Ｒ，１１Ｌ，４２Ｒ，４２Ｌ，１３２Ｒ，１３２Ｌ，１４３，１４４  偏光フィルタ
２０  スクリーン
３０  偏光メガネ
４０，８０  ポインタ装置
４１Ｒ，４１Ｌ，８１Ｒ，８１Ｌ，９０Ｒ，９０Ｌ，１１０，１３１Ｒ，１３１Ｌ，１４１，１４２，１５１，１５３  レーザ投射装置
４３Ｒ，４３Ｌ  筒状部材
５０  シャッタメガネ対応プロジェクタ
６０  赤外線出射部
７０  シャッタメガネ
８２Ｒ，８２Ｌ，１６１，１６２  液晶シャッタ
８３  赤外線受光部
１００  固定ミラー
１０１  可動ミラー
１２０，１４５  ハーフミラー
１２１  可動ミラー
１３３Ｒ，１３３Ｌ  反射部品
１４６  ミラー
ＡＰ  映像鑑賞者
ＥＹＲ  右眼
ＥＹＬ  左眼
ＰＴ  ポインタ
ＰＴＲ，ＰＴＬ  ポインタ像
【図１】
0004609001.tif 000002
【図２】
0004609001.tif 000003
【図３】
0004609001.tif 000004
【図４】
0004609001.tif 000005
【図５】
0004609001.tif 000006
【図６】
0004609001.tif 000007
【図７】
0004609001.tif 000008
【図８】
0004609001.tif 000009
【図９】
0004609001.tif 000010
【図１０】
0004609001.tif 000011
【図１１】
0004609001.tif 000012